(57)【要約】【課題】ルーフパネルの左右両側部に配置されるウエザーストリップに付着した水滴が、車両の傾きなどを原因としてスライダやリフタを水濡れさせたり車内へ飛び込んだりすることがないようにする。【解決手段】車両屋根３に形成されたルーフ開口４を閉鎖するルーフパネル１に対し、このルーフパネル１の左右両側部に配置されるウエザーストリップ５に沿いつつ下方突出するスカート部２０が設けられており、このスカート部２０には、外側面の下縁部に沿って左右方向内方へ向かう天井面２６とこの天井面２６の内方端で下方へ垂下する壁面２７とを有して下向きの鉤形に形成された水切り部２５が設けられている。【選択図】図１
2014162454.tif 000002
【特許請求の範囲】
【請求項１】
車両屋根に形成されたルーフ開口を閉鎖するルーフパネルに対し当該ルーフパネルの左右両側部に配置されるウエザーストリップに沿いつつ下方突出するスカート部が設けられており、
このスカート部には、外側面の下縁部に沿って左右方向内方へ向かう天井面とこの天井面の内方端で下方へ垂下する壁面とを有して下向きの鉤形に形成された水切り部が設けられていることを特徴とするルーフパネル。
【請求項２】
前記水切り部は、前記壁面がスカート部の下端縁へ達して通り抜けていることを特徴とする請求項１記載のルーフパネル。
【請求項３】
前記スカート部の前後で縦方向に延びる前縁部及び後縁部には縦方向に沿って左右方向内方へ凹ませた水滴誘導部が設けられており、この水滴誘導部が前記スカート部の前端コーナー部及び後端コーナー部で前記水切り部と連通して形成されていることを特徴とする請求項１又は請求項２記載のルーフパネル。
【発明の詳細な説明】
【技術分野】
【０００１】
本発明は、ルーフパネルに関するものである。
【背景技術】
【０００２】
車両屋根に形成されたルーフ開口を、前後動するルーフパネルによって開閉させるサンルーフ装置は周知である。この種、サンルーフ装置において、ルーフパネルにはその左右両側の各下部にそれぞれリフタが取り付けられ、これらリフタに前後移動自在な状態でそれぞれスライダが連結されている。そして、これらスライダが、車両屋根側に固定された左右のガイドレールに沿って前後動することで、ルーフパネルの前後動（ルーフ開口の開閉移動）が可能となっている。
【０００３】
また、ルーフパネルにはその外周部へ巻き付くようにウエザーストリップ（シール部材）が取り付けられており、閉鎖時の防水性を保持させてある。ただ、ルーフパネルは前後動可能であることから、左右両側に配置されるウエザーストリップとルーフ開口の左右両側縁部との各当接間では軽快な擦れ動きが保たれる程度に当接圧が設定されている。その結果、この当接部では防水性がややあまい（低い）状態となっており、微量の水が染みいることは許容の範囲とされている。
【０００４】
そこで従来、ルーフパネルに対し、左右両側部に配置されるウエザーストリップに対応させるようにして下方へ突出するリップ部を形成したものが提案されている（例えば、特許文献１等参照）。このリップ部は、ルーフパネルを開動作させてチルトアップしたとき等に、左右両側に配置されるウエザーストリップに付着した水滴を、その下方に設置された樋部へと誘導するための作用を有していた。
【０００５】
樋部は、前記したガイドレールにおいて、スライダが前後動するラインよりも左右方向外方側に並行して設けられているのが一般的であり、リップ部によって誘導された水滴がこの樋部に回収されることでスライダやリフタの水濡れ、或いは車内への水滴の飛散を防止しようとするものである。
【先行技術文献】
【特許文献】
【０００６】
【特許文献１】特開平４−１６６４２１号公報
【発明の概要】
【発明が解決しようとする課題】
【０００７】
車両が傾斜地を走行したり停車したりすることで左右方向に傾むくと、ルーフパネルも同じように左右方向の一方が低位で他方が高位となるように傾くことになる。このとき、ルーフパネルの高位側に設けられたリップ部では、鉛直方向において下端寄りほど左右方向内方となる（すなわち、車内側の開口に近接する）ように傾斜することになる。
すると、この状況下でリップ部の外面を伝わって流れ落ちようとする水滴は、リップ部の下端で勢い余ってリップ部の内側へ回り込むようになり、この回り込んだ位置（リップ部の下端を通り過ぎた内側）で水滴を成長させるようになる（図５（ｂ）に関して後述する）。そのため、水滴が大きくなって（自重が増して）リップ部から離脱（落下）する際には、この水滴がルーフ開口の内方を指向するようになり、結果として、スライダやリフタが水濡れしたり、車内へ水滴が飛び込んだりする問題があった。なお、リップ部には撥水性を高める処理を施して、水滴の離脱性を高めるようにしていたために、リップ部下端で水滴の回り込みが起こる割合も余計に高くなるという問題となっていた。
【０００８】
このような、スライダやリフタ等の水濡れの問題、及び車内への水滴飛び込みの問題は、車両が傾いたときだけでなく、車両屋根に対して斜め方向に雨が吹き付けるような天候下（殊に、長雨や暴風雨のときなど）でも発生するおそれがあった。
本発明は、上記事情に鑑みてなされたものであって、ルーフパネルの左右両側部に配置されるウエザーストリップに付着した水滴が、車両の傾きなどを原因としてスライダやリフタを水濡れさせたり車内へ飛び込んだりすることがないようにしたルーフパネルを提供することを目的とする。
【課題を解決するための手段】
【０００９】
前記目的を達成するために、本発明は次の手段を講じた。
即ち、本発明に係るルーフパネルは、車両屋根に形成されたルーフ開口を閉鎖するルーフパネルに対し当該ルーフパネルの左右両側部に配置されるウエザーストリップに沿いつつ下方突出するスカート部が設けられており、このスカート部には、外側面の下縁部に沿って左右方向内方へ向かう天井面とこの天井面の内方端で下方へ垂下する壁面とを有して下向きの鉤形に形成された水切り部が設けられていることを特徴とする。
【００１０】
前記水切り部は、前記壁面がスカート部の下端縁へ達して通り抜けたものとすることができる。
前記スカート部の前後で縦方向に延びる前縁部及び後縁部には縦方向に沿って左右方向内方へ凹ませた水滴誘導部が設けられており、この水滴誘導部が前記スカート部の前端コーナー部及び後端コーナー部で前記水切り部と連通して形成されたものとすることもできる。
【発明の効果】
【００１１】
本発明に係るルーフパネルでは、ルーフパネルの左右両側部に配置されるウエザーストリップに付着した水滴が、車両の傾きなどを原因としてスライダやリフタを水濡れさせたり車内へ飛び込んだりすることはないものとできる。
【図面の簡単な説明】
【００１２】
【図１】図２のＡ−Ａ線断面図である。
【図２】第１実施形態のルーフパネルを備えたサンルーフ装置の側面図である。
【図３】本発明に係るルーフパネルの第１実施形態を車内側（下側）から示した斜視図である。
【図４】第１実施形態のルーフパネルにおいてスカート部の下端部を拡大して示した断面図（図１のＢ部拡大図）である。
【図５】（ａ）は本発明に係るルーフパネルのスカート部で水滴が落下する状況を説明した断面図であり（ｂ）は従来のものを想定したスカート部で水滴が落下する状況を説明した断面図である。
【図６】スカート部の第２実施形態を示した断面図である。
【図７】スカート部の第３実施形態を示した断面図である。
【発明を実施するための形態】
【００１３】
以下、本発明の実施の形態を、図面に基づき説明する。
図３及び図４は、本発明に係るルーフパネル１の第１実施形態を示しており、また図１及び図２は、このルーフパネル１を備えたサンルーフ装置２の一例を示している。まずこのサンルーフ装置２について概説する。
このサンルーフ装置２は、車両屋根３に形成された矩形状のルーフ開口４を、このルーフ開口４と略同形に形成されたルーフパネル１の前後動によって開閉できるように構成したものである。
【００１４】
なお、以下の説明において「前後」「左右」「上下」は、便宜上、車両の運転席に着座した運転者から見た方向を言うものとおく。また、「左右方向内方」は車両の左右側面から車両中心を見た方向（図１では右側）を言い、この逆向きとなる「左右方向外方」は車両中心から車両の左右側面を見た方向（図１では左側）を言うものとおく。
ルーフパネル１は、ガラスや透明プラスチック、不透明プラスチック、又は金属板等により形成されており、その外周部には、ゴムや軟質樹脂などで形成されたウエザーストリップ（シール部材）５がルーフパネル１の全周に巻き付くように取り付けられている（なお、図３ではウエザーストリップ５を未装着の状態として示してある）。
【００１５】
車両屋根３は前後方向及び左右方向において平坦面か、又は上方に凸となる緩やかな湾曲面に形成されているのが一般的であるため、ルーフパネル１についても車両屋根３に馴染むように平坦面又は湾曲面に形成されている。
図３に示すように、ルーフパネル１の下面には、左辺側の前部及び後部と、右辺側の前部及び後部との合計４箇所に、下方へ突出する状態で取付ブラケット６が設けられている
。図２に示すように、同一辺に沿って並ぶ前後の取付ブラケット６に対し、それぞれ横軸を介して前後方向に長いリフタ１０が取り付けられ、これらリフタ１０に、前後移動自在な状態でそれぞれスライダ１１が連結される。
【００１６】
図１に示すように、車両屋根３には、ルーフ開口４の左右両外側で長手方向を前後方向へ向けた左右一対のガイドレール１３が、互いに平行して取り付けられている。これら左右のガイドレール１３の相互間（ルーフ開口４の下方）に、車内側の開口１４が形成される。この車内側の開口１４は、必要に応じてサンシェード１５等で開閉できる構成としてもよい。
【００１７】
リフタ１０に連結された左右のスライダ１１は、左右のガイドレール１３に設けられたスライドガイド溝１７に嵌められて前後動自在に保持される。すなわち、このスライダ１１の前後動により、ルーフパネル１の前後動（ルーフ開口４に対する開閉移動）が可能となっている。
なお、ガイドレール１３はアルミなどの押出形材によって形成されており、スライドガイド溝１７の左右方向外側方に樋部１８が設けられている。
【００１８】
このようなサンルーフ装置２では、ルーフパネル１がルーフ開口４を全閉にした状態からスライダ１１を後方移動させることで、このスライダ１１がリフタ１０と係合してルーフパネル１をその後部が上昇するようにチルトアップさせる。そして、スライダ１１をさらに後方移動させることでルーフパネル１が後方移動（開放動作）する。ルーフパネル１が全開状態になるとき、ルーフパネル１は、その後部が車両屋根３の後部上にオーバーラップするようになっている。
【００１９】
また、ルーフパネル１がルーフ開口４を全開にした状態からスライダ１１を前方移動させることで、ルーフパネル１がチルトアップ状態のまま前方移動した後にチルトダウンしてルーフ開口４を閉鎖するようになっている。
次に、ルーフパネル１について説明する。
図１〜図３に示すように、ルーフパネル１には、その左右両側部に配置されるウエザーストリップ５に沿いつつ下方突出するスカート部２０が設けられている。本第１実施形態では、ルーフパネル１の左右両側部に、ゴムや軟質樹脂などで形成されたスカート部２０が嵌め付けられ、このスカート部２０の外側面を経由するようにしてルーフパネル１の全周にウエザーストリップ５が巻き付けられるようにしてある。
【００２０】
このスカート部２０の左右方向外方側となる外側面は、ウエザーストリップ５の左右方向外方端よりも、少し、左右方向内方へ入り込むような配置とされている。そのため、ルーフパネル１がチルト動作（上下動）を行うときでも、このスカート部２０がルーフ開口４の開口側縁と接触干渉を起こすことはない。
このスカート部２０は、その前後で縦方向に延びる前縁部２１及び後縁部２２を有している。すなわち、スカート部２０は、ルーフパネル１の前縁部や後縁部で左右方向内方へ回り込むような形体ではなく、ルーフパネル１の下方に収まる範囲で、前後方向に有限となる長さを有した状態で下方へ突出したものである。前縁部２１は下方ほど後位置となるように傾斜しており、後縁部２２は下方ほど前位置となるように傾斜している。
【００２１】
また、このスカート部２０には、前後方向の中間部に上方へ抉るような形状とされることで下縁部が「へ」字状に曲がった上方湾曲部２３が形成されている。この上方湾曲部２３は、ルーフパネル１をその後部がチルトアップした状態のまま後方へ移動させる（ルーフ開口４を開放させる）際に、当該スカート部２０がルーフ開口４の開口後縁と接触干渉しないようにしつつ、ルーフパネル１を可及的に後方へ移動させ（車両屋根３とのオーバーラップ量を大きくし）、もってルーフ開口４を大きく開口させるための措置として講じられている。
【００２２】
このようなスカート部２０には、その下縁部に沿うようにしつつ全長にわたって水切り部２５が設けられている。図４に拡大して示すように、この水切り部２５は、スカート部２０の左右方向外方となる外側面に対し、下縁部から少し上の部分（高さｈ）で左右方向内方へ向かう天井面２６と、この天井面２６の内方端となる位置（奥行きｗ）で下方へ垂下する壁面２７とを有しており、下向きの鉤形を呈して形成されている。
【００２３】
本第１実施形態において、スカート部２０の下端部から天井面２６を設ける高さｈは１ｍｍ〜５ｍｍとし、スカート部２０の外側面から天井面２６の内方端を設ける奥行きｗは０．３ｍｍ〜２ｍｍとした。なお、これらの寸法は特に限定されるものではなく、鉤部の大きさは水滴１粒より小さいのが効果的である。ただ、高さｈについては過度に高くしすぎると、天井面２６と壁面２７との内隅部で付着した水滴が再び壁面２７を伝って流れ落ちるようになり、結果として、壁面２７の下端から離脱してしまう（水切り部２５を設けた意味が薄れる）ようになるため好適ではない。また、高さｈを過度に高くしすぎることは、水滴の落差（樋１８に至る高さ）を高くさせてしまうことにも繋がるため、これらの理由から、高さｈは１０ｍｍを超えないようにするのが好適となる。
【００２４】
水切り部２５は、壁面２７がスカート部２０の下端縁へ達して通り抜けたもの（すなわち、天井面２６の下方には何も突出物がない状態）として形成されている。
スカート部２０は前記したように後傾した前縁部２１及び前傾した後縁部２２を有しているが、これら前縁部２１及び後縁部２２には、縦方向に沿って左右方向内方へ凹ませた水滴誘導部３０が設けられている。この水滴誘導部３０は、スカート部２０の前端コーナー部（前方の下隅部）及び後端コーナー部（後方の下隅部）で水切り部２５と連通するように形成されている。すなわち、このような水滴誘導部３０を設けることにより、ウエザーストリップ５に付着した水滴を、迅速且つスムーズに水切り部２５へ誘導することができるようになっている。
【００２５】
本第１実施形態において、水滴誘導部３０が前縁部２１でスカート部２０の外側面を凹ます長さや、水滴誘導部３０が後縁部２２でスカート部２０の外側面を凹ます長さは、いずれも、水切り部２５における高さｈと略同じ寸法とした。また、水滴誘導部３０がスカート部２０の外側面を凹ます深さは、前縁部２１及び後縁部２２のいずれでも、水切り部２５における奥行きｗと略同じ寸法とした。
【００２６】
次に、本発明に係るルーフパネル１の作用を説明する。
いま、車両が傾斜地を走行したり停車したりすることで左右方向に傾むき、ルーフパネル１も同じように左右方向の一方が低位で他方が高位となるように傾くことを原因として、図５（ａ）に示すように、ルーフパネル１の高位側に設けられたスカート部２０が、鉛直方向において下端寄りほど左右方向内方となる（車内側の開口１４に近接する）ように傾斜したことを想定する（図５（ａ）ではスカート部２０の垂下軸線Ｐを鉛直方向に置き換えて図示してある）。
【００２７】
このようにスカート部２０が傾斜することで、左右両側に配置されるウエザーストリップ５に付着した水滴がスカート部２０の外側面を伝わって流れ落ちようとする。しかし、この水滴は、スカート部２０の下端縁に到達する前に、水切り部２５の天井面２６を伝わってこの天井面２６と奥側の壁面２７との内隅部に付着する。そして、この付着した水滴は、付着位置を中心としつつ表面張力を伴いながら大きく成長してゆき、水滴の自重が表面張力を超えたとき、或いは表面張力に打ち勝つ振動などが付与されたときに、水滴は下方へ離脱（落下）するようになる。
【００２８】
このときの水滴の落下方向は、水切り部２５の天井面２６と壁面２７との内隅部からみて、壁面２７に阻まれながら（壁面２７が邪魔となり）可及的に当該壁面２７の下端まで水滴が誘導されることが要因となり、スカート部２０の垂下軸線Ｐに対する傾斜角αが小さくなるように抑制される。
その結果、スカート部２０から離脱して落下する水滴は、その下方に設置された樋部１８（図１参照）内へと確実に誘導され、回収される。このように水滴が樋部１８に回収されることで、スライダ１１やリフタ１０が水濡れすることはなく、これらスライダ１１やリフタ１０の動作が経年的に鈍くなってゆくいった不具合は防止される。また、車内側の開口１４を介して車内側へ水滴が飛び込むといったこともないため、車内が汚れたり搭乗者が不快な思いをしたりすることもない。
【００２９】
なお、このようなスライダ１１やリフタ１０等の水濡れの問題、及び車内への水滴飛び込みの問題は、車両が傾いたときだけでなく、車両屋根３に対して斜め方向に雨が吹き付けるような天候下（殊に、長雨や暴風雨のときなど）でも、その発生が防止されるもので
あることは言うまでもない。また、ルーフパネル１がルーフ開口４を閉鎖中であるか開放しているかが区別されるものでもない。
【００３０】
ここで、水切り部２５を備えていない比較例のスカート部２０Ｘを図５（ｂ）に示す。この比較例のスカート部２０Ｘにおいて、その外側面を伝わって流れ落ちようとする水滴は、流れ落ちる作用を邪魔するものが何もないために、当該スカート部２０Ｘの下端縁へと直行するようになる。しかも、下端縁へ到達してもそこで留まらずに、慣性により（勢い余って）スカート部２０Ｘの内側面（左右方向内方）へ回り込んでしまうようになる。そのため、この回り込んだ位置（スカート部２０Ｘの下端縁を通り過ぎた内側）で水滴を成長させるようになる。
【００３１】
この場合、水滴が大きく成長して（自重が増して）スカート部２０Ｘから離脱（落下）する際には、この水滴がルーフ開口４の内方を指向するようになる。すなわち、このときの水滴の落下方向は、左右方向内方へ向けた落下を阻むものが全くないために、スカート部２０Ｘの垂下軸線Ｐに対する傾斜角βが大きくなっている。その結果、スカート部２０から離脱して落下する水滴は、その下方に設置された樋部１８では回収し難い状態となり、スライダ１１やリフタ１０が水濡れしたり、車内へ水滴が飛び込んだりするようになることが容易に理解できるところである。
【００３２】
図６は、本発明に係るルーフパネル１の第２実施形態を示している。この第２実施形態のルーフパネル１が第１実施形態と最も異なるところは、スカート部２０に設けられる水切り部２５が、天井面２６及び壁面２７だけでなく、更に壁面２７で左右方向外方へ突出する突起部３２をも有している点にある。
このような突起部３２は、天井面２６と壁面２７との内隅部を中心として水滴が大きく成長する作用を助け（水滴が内隅部下方へズリ落ちるのを防止し）、また成長後の水滴が壁面２７の下端で離脱（落下）しやすくするのを促進させる作用を期待できる。ただ、この突起部３２を大きく形成させすぎたり、スカート部２０の下端縁よりも上方に設けすぎたりするのは好ましくない。
【００３３】
図７は、本発明に係るルーフパネル１の第３実施形態を示している。この第３実施形態のルーフパネル１が第１実施形態と最も異なるところは、スカート部２０に設けられる水切り部２５が、スカート部２０の外側面よりも左右方向外方へ突出した状態で設けられている点にある。ただ、この水切り部２５が天井面２６と壁面２７とを有して形成されている点は、第１実施形態と同じである。スカート部２０の外側面と、水切り部２５の壁面２７との位置関係は特に限定されるものではなく、同じ面位置に揃えてもよいし、いずれかが左右方向外方へ膨出しているような位置関係としてもよい。
【００３４】
ところで、本発明は、前記の各実施形態に限定されるものではなく、実施の形態に応じて適宜変更可能である。
例えば、スカート部２０は、ウエザーストリップ５と一体形成したものであってもよい。
スカート部２０は、前縁部２１や後縁部２２、及び上方湾曲部２３の有無やそれらの形状が限定されるものではない。また、スカート部２０がルーフパネル１の前後方向にわたって一体であることも限定されるものではなく、スカート部２０が前後に複数設けられるような構造とすることも可能である。加えて、スカート部２０に対し、その前後方向の全長にわたって水切り部２５を設けることについても限定されるものではなく、部分的に（単数でも複数でも）水切り部２５を設けてもよい。
【００３５】
スカート部２０の外側面に対し、水切り部２５を上下方向に並べて階段状を呈するように複数設けるようにしてもよい。
水切り部２５の天井面２６は、ルーフパネル１がルーフ開口４を閉鎖状態にあるときを基準として、スカート部２０の外側面から左右方向内方へ向かって略水平で扁平な面とすることも可能であるし、上方に凹となる湾曲面や反対に下方へ凸となる湾曲面としたり、左右方向外方ほど低位となる傾斜面や反対に左右方向内方ほど低位となる傾斜面としたりすることが可能である。
【００３６】
また水切り部２５の壁面２７についても、鉛直方向の面としてもよいし、下端ほど左右
方向内方へ向く傾斜面としたり、或いは、下端ほど左右方向外方へ向く傾斜面としたりすることが可能である。
サンルーフ装置２は、ルーフパネル１が前後に並んで設けられたタイプ（フロントパネルとリヤパネルとを有した構成）としてもよい。詳しくは、フロントパネルが後方移動しつつチルトアップして車両屋根３の後部上方にオーバーラップし、リヤパネルがフロントパネルの後方移動に連動しつつチルトダウンして車両屋根３の後部下方に潜り込むように構成されたタイプを言う。この場合、フロントパネルとリヤパネルのいずれか一方、又は両方に対して本発明のルーフパネル１を実施することができる。
【符号の説明】
【００３７】
１  ルーフパネル
２  サンルーフ装置
３  車両屋根
４  ルーフ開口
５  ウエザーストリップ
６  取付ブラケット
１０  リフタ
１１  スライダ
１３  ガイドレール
１４  車内側の開口
１５  サンシェード
１７  スライドガイド溝
１８  樋部
２０  スカート部
２０Ｘ  スカート部（比較例）
２１  前縁部
２２  後縁部
２３  上方湾曲部
２５  水切り部
２６  天井面
２７  壁面
３０  水滴誘導部
３２  突起部
【図１】
2014162454.tif 000003
【図２】
2014162454.tif 000004
【図３】
2014162454.tif 000005
【図４】
2014162454.tif 000006
【図５】
2014162454.tif 000007
【図６】
2014162454.tif 000008
【図７】
2014162454.tif 000009